(57)【要約】      （修正有）【課題】自然の理に適った要素を取り入れ、平坦ではなし得なかった手早くきれいに軽快に片付けるという困難な両立を図ることができる衣類折り畳み補助台を提供する。【解決手段】台部１はアーチ型形状で中央部が凸型に湾曲した円弧曲面であり、台部１の上面を作業台面とし作業台面は左右方向に曲面であり、作業台面の縦中心線に衣類の縦中心線ｍが重なるように載置して用いるとともに、作業台面は上半身用衣類の全形を概ね収容できる広さとする。曲面に沿って手のひらで中心から左右に静かに押し延べるだけで両見頃がしっかり重なり弧曲面と密着がスムースに図られ、同時に折り畳み動作では持ち上げた折り畳み部分と、そうでない部分との境界が物理的挙動において明確に保持され、手早く折り畳んでも乱れを生じることなく手軽に素早く端然と作業を進めることができる。従来の慣れ親しんだ折り畳みの方法で行なえばよく、家事生活を飛躍的に改善することができる。【選択図】図１
0003205096.tif 000002
【実用新案登録請求の範囲】
【請求項１】
台部１はアーチ型形状で中央部が凸型に湾曲した円弧曲面であり、台部１の上面を作業台面３とし作業台面３は左右方向に曲面であり、作業台面３の縦中心線Ｍに衣類の縦中心線ｍが重なるように載置して用いるとともに、作業台面３は上半身用衣類の全形を概ね収容できる広さとしたことを特徴とする衣類折り畳み補助台。
【請求項２】
剛性の素材により構成され、構造および形状が常に安定的に維持されて使用可能とすることを特徴とする請求項１記載の衣類折り畳み補助台。
【請求項３】
割り出された寸法に従い切断加工されてなる可撓性を有する平板材１０の両側の連結部１００と連結材１２の両側の連結部１２０とにおいて係合して組み上げられ、あるいは係脱して元の状態に収納可能とする組み立て式とし、平板材１０の上面を作業台面３とする請求項１記載の衣類折り畳み補助台。
【請求項４】
作業台面３が、中心角６０度乃至９０度の範囲内の弧曲面であることを特徴とする請求項１乃至請求項３記載の衣類折り畳み補助台。
【請求項５】
作業台面３に縦中心線Ｍから左右双方に対称な、衣類の輪郭図柄３０を描画し、その表示を目視することで衣類の載置する位置が案内される仕組みとした請求項１乃至請求項４記載の衣類折り畳み補助台。
【考案の詳細な説明】
【技術分野】
【０００１】      本考案は衣類を折り畳む日常生活における作業が容易に軽快に行ない得て、尚且つ端然と整えることを可能とする衣類折り畳み補助台に関するものである。
【背景技術】
【０００２】      衣類の片付け、とりわけ乾燥し終えた洗濯ものの片付けは一連の洗濯作業の中でも一つ一つ折り畳む手間を要するために集中力が欠かせないうえ、日々まとまった洗濯量を抱える場合も多く、主婦にとって他の家事労働とともに気重い負担となっている。それぞれにおいて工夫がなされ軽減を図る努力が試されるものの結局慣れ親しんだ従来の方法に立ちかえってしまうことが多く、例えば便利グッズなど補助具の場合のように使用によって逆に手間が増えたり工程が複雑化するなどマイナス面の負担を伴うことなどが要因と考えられる。
【先行技術文献】
【特許文献】
【０００３】
【特許文献１】実用新案登録第３１９９７８５号公報
【考案の概要】
【考案が解決しようとする課題】
【０００４】      一々補助具を用いることなく、従来の慣れ親しんだ折り畳みの方法で、素早く手軽に端然と片付け作業ができ、日々の精神的肉体的な重荷から幾分に解放されることを可能とする、衣類折り畳み補助台を提供することを課題とする。
【課題を解決するための手段】
【０００５】      衣類の折り畳み作業は平坦な場所を選んで、例えばカーペットや畳の上で布などを置いて行なわれることが多い。平坦でないとそもそも無理な作業であるため、平坦な場所を選んで平坦になるように衣類を拡げ、折り畳むことを従来から継続してきていて、その結果方法の固定化に陥り、平坦から脱却するという発想の転換を見出せないまま今日に至っていると言える。便利グッズと称されるものでもその固着した発想の上で考案が重ねられていると言っても過言でなく、自然の理に適った要素の手助けを用いないため軽快感をもって手早くきれいに片付けるという難しい両立ができないでいることに気付く必要があった。【０００６】そこでアーチ型形状の補助台を配置すれば、ほかに補助具を用いず従来通りの作業の所作のままを継続しても可能であり、自然の理に則し難しい課題でありながら両立し得ることを見出した。円弧状曲面である補助台は縦に用いて中心線から左右に下向き曲線を辿る形体であるため、衣類が載置されその形体に沿って手のひらで押し広げるように延ばして得られた結果に対して、逆らい得ない物理的状況に置かれていて、そのまま得られた状態が維持され、さらに次に続く折り畳む動作においても有効性は当然に存在しているので、意図しない波乱は生じ難くやり直しすることなく作業の流れを淡々と軽やかに進めることができる。【０００７】      そこで第一考案は、台部１はアーチ型形状であって中央部が凸型に湾曲した円弧曲面であり、台部１の上面を作業台面３とし作業台面３は左右方向に曲面であり、作業台面３の縦中心線Ｍに衣類の縦中心線ｍが重なるように載置して用いるとともに、作業台面３は全面が上半身用衣類の全形を概ね収容できる広さとしたことを特徴としている。【０００８】      第二考案は請求項１記載の台部１が剛性の素材により形成されることにより、単一構造にして常に安定的に使用維持されることが可能である。【０００９】      第三考案は割り出された寸法に従い切断加工されてなる可撓性を有する平板材１０の左右双方の連結部１００と連結材１２の左右双方の連結部１２０とにおいて係合して組み上げられ、あるいは係脱により各部材を元の状態に収納可能とする組み立て式とした請求項１記載の衣類折り畳み補助台である。【００１０】      第四考案は作業台面３が、中心角６０度乃至９０度の範囲内の弧曲面であることを特徴とする請求項１乃至請求項３記載の衣類折り畳み補助台である。衣類Ｐの曲面への物理的挙動と、折り畳む過程で折り重なり部分がすべり挙動に抗して折り重なり状態が保持される安定性、その両面を併せ具え得る好適な合理的弧曲面形状と言うことができる。【００１１】      第五考案は作業台面３に縦中心線Ｍから左右双方に対称な衣類の輪郭図柄３０を描画し、その表示を目視することで衣類の載置する位置が案内される仕組みとした請求項１乃至請求項４記載の衣類折り畳み補助台である。
【考案の効果】
【００１２】      中心が高く左右に向かって円弧状に低くなる対称形態であり、物理的挙動において均衡状態であるためズレが生じないうえ、折り畳む作業の途中においても左右双方に円弧状に下向する滑り降りる運動（力）が常に働いて双方の側においてその後のズレの発生を阻み、作業台面３上での衣類Ｐの定着が維持される中、着実に折り畳むことができ、自然の理にかなった方法と言うことができる。
【図面の簡単な説明】
【００１３】
【図１】（ア）衣類Ｐ載置の状態を示す衣類折り畳み補助台斜視図。（イ）折り畳みの一過程のイメージ図。
【図２】請求項１記載の衣類折り畳み補助台の一例の斜視図および三面図
【図３】請求項３記載の組み立て式とした衣類折り畳み補助台の組み立て後の一例を示す形体三面図。
【図４】請求項３記載の組み立て式とした衣類折り畳み補助台の組み立て前の平板材１０の一例を示す形体三面図。
【図５】同じく組み立て前の連結材１２の一例を示す形体三面図。
【図６】請求項５記載の衣類の載置位置を案内する作業台面３における輪郭図柄３０の一例。
【考案を実施するための形態】
【００１４】  例えばＴシャツを畳む場合、シャツの縦中心線ｍが作業台面３の縦中心線Ｍに重なるように置かれ、衣類両端ｐを含む両側は弧曲面に沿って縦中心線Ｍより左右に下降し延展定置される形態をとり、隙間なく密着して覆いかぶさるように衣類Ｐを置くとともに、さらに衣類両端ｐを伸ばすように手早く張りを与えたり、同様に手のひらで中心から左右に擦るように押し延べて両見頃がピタリと重なり合うと同時に、弧曲面との密着が図られ、その後も安定的に状態を維持することが可能なうえ、
【００１５】曲面下降領域で持ち上げた折り畳み部分と、そうでない部分との境界が明確に物理的に区切られ保持されるので、連動して状態を崩すような波乱偏移に到らず、しっかりと定置して全体として落ち着いた状態を保て、そのため手早く折り畳んでも乱れを生じることなく進めることができる。なお、ズボンなどを畳む場合は股上部を作業台面３に載置して整え、従属的に股下部を折り畳み処理して同様の効果を発揮することができる。
従来の慣れ親しんだ折り畳みの方法で行なえばよく、素早く手軽に端然とした片付け作業によって家事生活を飛躍的に改善することができる。
立てて収納、手軽に配置、生活空間にも馴染みよい。
【実施例】
【００１６】      第一考案の衣類折り畳み補助台の一例を、斜視図および三面図で図２に示す。【００１７】      第三考案は平板材１０と連結材１２が係合係脱自在の組み立て式とした衣類折り畳み補助台で、一例として図３は組み立て後の、図４は組み立て前の平板材１０、図５は組み立て前の連結材１２をそれぞれ三面図で示している。
可撓性を有する平板材１０と、連結材１２が、平板材１０の両側の連結部１００に設けた複数の係止孔１１０を嵌挿して、連結材１２の両側の連結部１２０に設けて相対する複数の係止用ネジ穴１２５とネジ１５により両側で係合し、連結材１２の係合を受け可撓性により湾曲化し組み上がった平板材１０が台部１であり、その上面が作業台面３である。またネジを外すことで元の状態に収納できる。【００１８】      第五考案の実施例を図６に示す。
【符号の説明】
【００１９】      １      台部
１０    平板材
１００  平板材連結部
１１０  係止孔
１２    連結材
１２０  連結材連結部
１２５  係止用ネジ穴
１５    ネジ
３      作業台面
３０    輪郭図柄
Ｍ      作業台面の縦中心線
ｍ      衣類の縦中心線
Ｐ      衣類
ｐ      衣類両端
【図１】
0003205096.tif 000003
【図２】
0003205096.tif 000004
【図３】
0003205096.tif 000005
【図４】
0003205096.tif 000006
【図５】
0003205096.tif 000007
【図６】
0003205096.tif 000008